(57)【要約】【課題】  魚を掬い揚げる際にタモ網が左右に振れることを阻止し、そのタモ網の姿勢を所定の姿勢に維持できる機構を備えたものを提供する点にある。【解決手段】  一番節の先端に装着されてタモ網を支持する玉の柄の口栓５に、バランスウエイト１０を取り付けることのできる収納穴５ｃを、円周方向に沿って複数箇所に形成してある。【選択図】        図３
2006288206.tif 000002
【特許請求の範囲】
【請求項１】
一番節の先端に装着されてタモ網を支持する玉の柄の口栓であって、バランスウエイトを取り付けることのできる装着部を形成してある玉の柄の口栓。
【請求項２】
一番節、中間節、元節を備えるとともに、強化繊維を含んだプリプレグで各節を形成し、前記一番節、中間節、元節のうちの少なくとも一番節には、プリプレグを形成すべく引き揃え配置された第１強化繊維に比べて比重の大きな第２強化繊維を円周方向の特定位相に配置してある玉の柄。
【請求項３】
網部分を支持する枠体を、玉の柄の口栓に装着するとともに、前記枠体の前記玉の柄の口栓に対する取付部位に、バランスウエイトを配置してあるタモ網。
【請求項４】
玉の柄とタモ網とからなる玉網であって、請求項１に係る玉の柄の口栓、請求項２に係る玉の柄、請求項３に係るタモ網、のうちの少なくともいずれか一つに記載のものを備えた玉網。
【発明の詳細な説明】
【技術分野】
【０００１】
本発明は、先端に釣り上げた魚を海面より掬い取るタモ網を取り付けてある玉の柄、タモ網、及び、玉網に関する。
【背景技術】
【０００２】
玉網は、タモ網を玉の柄の先端に取り付けて構成されているが、玉の柄は振出式に構成されているので、振出操作して小径節体の尻端外周面が大径節体の先端内周面に圧接する状態で嵌合した場合に小径節体の伸長状態が維持される。この伸長状態が各節体毎に達成されると玉の柄の全体が伸長状態となり、魚を掬い揚げるのが容易になる（特許文献１参照）。
【０００３】
【特許文献１】特開２００４−１２９５３２号公報（段落番号〔００１８〕、図１）
【発明の開示】
【発明が解決しようとする課題】
【０００４】
実際に魚を掬い採る場合は、玉の柄を振り出し操作してタモ網を水面近くまで延出することになるが、その場合に、各節体を伸長状態に固定して掬い揚げ操作が行えることは多くなく、通常においては、各節体が完全に延びきらない状態で使用している。したがって、小径節体は大径節体に対して相対的にその軸芯周りに回転し易い状況にあるところから、タモ網を水面近くまで延出した際にそのタモ網が玉の柄の軸芯に平行な軸芯周りで左右に揺動して姿勢が定まらないことがあり、魚を掬い挙げるのに難儀することがあった。
【０００５】
本発明の目的は、玉の柄等に簡単な改造を施すことによって、タモ網の姿勢を安定させて、容易に魚を掬い挙げることのできる玉の柄等を提供する点にある。
【課題を解決するための手段】
【０００６】
〔構成〕
請求項１に係る発明の特徴構成は、一番節の先端に装着されてタモ網を支持する玉の柄の口栓であって、バランスウエイトを取り付けることのできる装着部を形成してある点にあり、その作用効果は次の通りである。
【０００７】
〔作用〕
つまり、装着部にバランスウエイトを取り付けて、魚を掬うために玉の柄を延出させると、そのバランスウエイトが口栓の軸芯より下方に位置するように口栓の姿勢を一定する位置に維持する。これによって、口栓を取付けている一番節の姿勢が決まり、この一番節に口栓を介して取付けられているタモ網の姿勢が安定する。
したがって、口栓のバランスウエイトが口栓の軸芯より下方に位置する状態でタモ網の姿勢が魚を掬い採る姿勢となるように、タモ網を口栓を介して一番節に取り付けることによって、バランスウエイトの下向きに作用する付勢力によってタモ網の姿勢が安定する。
しかも、口栓にバランスウエイトが取り付けられているので、元節内に収納してある各節体を伸長状態に切り換える際に、タモ網部分を下向きにして玉の柄を縦姿勢にすると、バランスウエイトの自重によって各節が元節より脱出することになり、釣り人が振出操作をする必要がない。
【０００８】
〔効果〕
口栓にバランスウエイトを収納する収納穴を設けるだけの簡単な工夫によって、タモ網の姿勢を安定したものにでき、魚の掬い揚げを迅速に行うことができる。
【０００９】
請求項２に係る発明の特徴構成は、一番節、中間節、元節を備えるとともに、強化繊維を含んだプリプレグで各節を形成し、前記一番節、中間節、元節のうちの少なくとも一番節には、プリプレグを形成すべく引き揃え配置された第１強化繊維に比べて比重の大きな第２強化繊維を円周方向の特定位相に配置してある点にあり、その作用効果は次の通りである。
【００１０】
〔作用効果〕
つまり、一番節に比重の大きな第２強化繊維を配置してあるので、第２強化繊維が一番節の軸芯より下方の位置に位置することによって、その重量によって一番節が一定姿勢に付勢されることとなり、その一番節が一定の姿勢に保持される。これによって、タモ網を一番節に取り付ける際に、第２強化繊維が一番節の軸芯より下方に位置する状態の場合にタモ網の所定姿勢を維持するように取り付けることによって、タモ網の姿勢も安定したものにできる。
【００１１】
請求項３に係る発明の特徴構成は、網部分を支持する枠体を、玉の柄の口栓に装着するとともに、前記枠体の前記玉の柄の口栓に対する取付部位に、バランスウエイトを配置してある点にあり、その作用効果は次の通りである。
【００１２】
〔作用効果〕
つまり、枠体の口栓に対する取付部位にバランスウエイトを取り付けてあるので、魚を掬うために玉の柄を延出させると、網部分とバランスウエイトとが一番節の軸芯より下方に位置して下向きで安定する位置に保持されるので、それによって枠体を取り付けている口栓や一番節が所定姿勢に維持される。これによって、枠体の姿勢が決まり、この一番節に口栓を介して取付けられているタモ網の姿勢が安定する。
したがって、枠体に取り付けられるバランスウエイトが枠体の軸芯より下方に位置する状態でタモ網の姿勢が魚を掬い採る姿勢となるように、タモ網を口栓を介して一番節に取り付けることによって、バランスウエイトの下向きに作用する付勢力によってタモ網の姿勢が安定する。
【００１３】
請求項４に係る発明の特徴構成は、玉の柄とタモ網とからなる玉網が、請求項１に係る玉の柄の口栓、請求項２に係る玉の柄、請求項３に係るタモ網、のうちの少なくともいずれか一つに記載のものを備えてある点にあり、その作用効果は次の通りである。
【００１４】
〔作用効果〕
つまり、請求項１〜３の作用で説明したように、夫々、請求項において記載された構成によって一番節の姿勢を安定させることができ、それによってタモ網の姿勢も安定する。これによって、魚を掬う際の操作が容易になる。
【発明を実施するための最良の形態】
【００１５】
〔第１実施形態〕
振出式の玉の柄Ａとタモ網Ｂとからなる玉網について説明する。
振出竿式の玉の柄Ａは、図１に示すように、一番節１と、二番節２、三番節３、元節４とを備えて、構成されている。一番節１には口栓５を装備し、元節４の尻端には尻栓６が設けてある。
玉の柄Ａは、一番節１、中間竿としての二番節２と三番節３を、元節４内に収納する収縮状態と一番節１、二番節２、三番節３を元節４より引き出した伸長状態とに切換可能に構成されている。
【００１６】
一番節１等の各節体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターン及びそのメインパターンより軸線方向に沿った長さが短い補助パターン等を適宜選択してそれらをマンドレルに巻回し、巻回したものを焼成して、所定の寸法に切断して、形成される。
【００１７】
一番節１の先端には、魚を掬い取るタモ網Ｂが取付られる。その取り付け構造を説明する。図１及び図２に示すように、タモ網Ｂは、網本体７と枠体８とからなり、枠体８に一番節１への装着部８Ａが形成されている。装着部８Ａには雄ネジ軸８ａが突設されている。
一方、一番節１の先端内には取付用スリーブ９が嵌め込み固定してあり、その取付用スリーブ９の内周面に雌ネジ部９ａが形成されている。
以上のようなネジ部構造によって、タモ網Ｂの雄ネジ軸８ａを取付用スリーブ９の雌ネジ部９ａに螺合させることによって、タモ網Ｂを玉の柄Ａに取り付けることができ、玉網としての使用が可能になる。
【００１８】
口栓５と一番節１との取り付け構造について説明する。図２及び図３に示すように、口栓５は、その外周面に、前端側から後端側に掛けて、大径摘まみ部５Ａと、中径元節用嵌合部５Ｂと、小径逃げ部５Ｃとを形成して構成されており、かつ、その内周面に、前端側から後端側に掛けて、内向き摩擦保持部５Ｄを形成して構成されている。
【００１９】
大径摘まみ部５Ａには、ローレット加工が施してあり、摘まみ易い構造になっている。また、中径元節用嵌合部５Ｂには、竿の軸線方向に沿った溝５ａが周方向に複数個設けてあり、元節４を内嵌合する際に、摩擦抵抗を軽減しながら、溝５ａを形成されていない平坦部分での密着性を良好なものにする構成としてある。このように、溝５ａの形成によって、寸法誤差等に起因して全周面を元節４の内周面に接触させる難しさを緩和する構成となっている。
口栓５はゴム製のものであり、アクリロニトリルーブタジエンゴム（ＮＢＲ）でできている。但し、このゴムに相当する硬度を有するものであれば、合成樹脂を材料とすることもできる。
【００２０】
一番節１には、図２（イ）に示すように、先端から尻側に向けて、外向き摩擦保持部１Ａが形成してあり、図２（ロ）に示すように、口栓５を一番節１に装着した状態で、外向き摩擦保持部１Ａが口栓５の内向き摩擦保持部５Ｄ内に嵌合圧接して、装着状態を維持する構成となっている。
【００２１】
図２（ロ）、及び、図５に示すように、タモ網Ｂの枠体８に形成された取付部８Ａの側面８ｂにネジ軸８ａを形成してあるが、一番節１にタモ網Ｂを取り付けた際には、側面８ｂを一番節１に取付けられた口栓５における前面５ｄに当接させている。これによって、口栓５は前記したようにゴム製でありその弾性変形性により軸線方向に圧縮される。口栓５はタモ網Ｂと一番節１とに離間する方向の力を作用させるところから、タモ網Ｂ側のネジ軸８ａとスリーブ９との螺合状態を維持する機能を発揮することになる。
【００２２】
玉の柄Ａは振出竿式のものであるので、各節体を伸長させた使用状態から各節体を短縮させた状態とに切り換えられるものであるが、第２図（ロ）に示すように収縮状態に設定すると、元節４の先端開口が口栓５の中径元節用嵌合部５Ｂに外嵌し、その収縮状態を維持するようになっている。
【００２３】
次に、バランスウエイト１０の取付構造について説明する。図３に示すように、口栓５の大径摘まみ部５Ａにおけるタモ網Ｂの枠体８に向かう前面５ｄに、その向かう面５ｄで開口するバランスウエイト１０の収納穴５ｃを軸線方向に沿った状態で形成してある。収納穴５ｃは円周方向に沿って３箇所形成してあり、任意の数のバランスウエイト１０を嵌入保持できるようになっている。バランスウエイト１０はステンレス等の金属又は鉄等をメッキしたものを使用し、又は、仕掛けに使用する錘と同じ材質のものでもよい。この収納穴５ｃを、バランスウエイト１０の装着部と称する。
【００２４】
このような構成になっているので、その収納穴５ｃにバランスウエイト１０を嵌入保持し、そのバランスウエイト１０が口栓５の軸芯Ｘより下方に位置する状態に設定して使用する。そうすると、バランスウエイト１０の下向き付勢力がタモ網Ｂにも作用して、魚を掬いあげるために玉の柄Ａを伸長状態に振り出した場合にも、タモ網Ｂが口栓５の軸芯Ｘ周りで左右に揺動する現象を阻止することができる。
【００２５】
〔第２実施形態〕
ここでは、一番節、中間節のうちの少なくとも一番節１にバランスウエイト１０と等化の効果を得ることのできる機構を設けることについて説明する。図４に示すように、一番節１の円周方向一箇所に、軸線方向に沿った状態で比重の重い第２強化繊維を混入させる。該当する比重の重い第２強化繊維としては、タングステン繊維やガラス繊維が挙げられる。これらは、比重が５〜６に相当する。一番節１を形成しているプリプレグに使用されている第１強化繊維としては炭素繊維であり、その比重は１〜２位である。
【００２６】
具体的な製作形態としては次ぎのようになる。図４（イ）に示すように、３枚のプリプレグ１Ｃ、１Ｄ、１Ｅを芯金１１に巻回して節体を形成するが、前記したタングステン繊維ｄやガラス繊維を軸線に沿った方向に配置し、一方向に引き揃えた炭素繊維ｃに対してタングステン繊維ｄやガラス繊維を引き揃えて取り付けるか接着固定して取付け一体化する。
【００２７】
上記したような繊維ｄを各プリプレグ１Ｃ、１Ｄ、１Ｅに一体化し、これらのプリプレグ１Ｃ、１Ｄ、１Ｅを芯金１１に巻回し、各プリプレグ１Ｃ、１Ｄ、１Ｅに組み込んだタングステン繊維ｄやガラス繊維が円周方向の同一位相に位置するように構成する。プリプレグ１Ｃ、１Ｄ、１Ｅに一体化するタングステン繊維ｄやガラス繊維の軸線方向に沿った長さは、先端側から一定長さだけ設けてあればよく、節体の全長に亘る状態で設ける必要はない。
【００２８】
このような構成によって、実際に使用する際には、タングステン繊維ｄやガラス繊維が節体の軸芯Ｘより下方に位置するように一番節１等の向きを設定する状態で使用することによって、前記したバランスウエイト１０と同様の効果を発揮し、魚を掬いあげるために玉の柄Ａを伸長状態に振り出した場合にも、タモ網Ｂが口栓５の軸芯Ｘ周りで左右に揺動する現象を阻止することができる。
【００２９】
〔第３実施形態〕
ここでは、タモ網Ｂの枠体８に形成されている一番節１への装着部８Ａに、バランスウエイト１０と等化の効果を得ることのできる機構を設けることについて説明する。図５に示すように、装着部８Ａの下向き面に下向きに膨出する下向き膨出部８ｃを一体形成する。このことによって、膨出部８ｃをバランスウエイトとして利用できる。
【００３０】
したがって、実際に使用する際には、前記した膨出部８ｃが節体の軸芯Ｘより下方に位置することになるので、前記したバランスウエイト１０と同様の効果を発揮し、魚を掬いあげるために玉の柄Ａを伸長状態に振り出した場合にも、タモ網Ｂが口栓５の軸芯Ｘ周りで左右に揺動する現象を阻止することができる。
【００３１】
〔別実施の形態〕
（１）  口栓５に取付られるバランスウエイト１０としては、棒状のものを複数個円周方向に沿って配置する実施形態を示したが、バランスが採れる範囲でその個数を決定すればよい。装着部としては、収納穴５ｃだけではなく、ネジ止め固定するものも含めるものとする。
（２）  一番節１に設ける比重の重い強化繊維の配置位置としては、円周方向の複数箇所に配置してもよい。
（３）  タモ網Ｂの枠体８に形成されている一番節１への装着部８Ａに、バランスウエイト１０と等化の効果を得ることのできる機構を設けることについて説明したが、装着部８Ａの下向き面に膨出部８ｃを一体形成する代わりに、バランスウエイト１０を取り付けるように構成してもよい。
【図面の簡単な説明】
【００３２】
【図１】玉網の全体を示す斜視図
【図２】タモ網の枠体と一番節との取付構造を示し、（イ）は取付前の状態を示す縦断側面図、（ロ）は取付後の状態を示す縦断側面図
【図３】口栓に設けたバランスウエイト収納穴を示す斜視図
【図４】一番節に比重の重い強化繊維を組み込む状態を示すもので、（イ）は比重の重い強化繊維を組み込んだプリプレグを芯金に巻き付ける前の状態を示す斜視図、（ロ）はそのプリプレグを巻回した状態を示す縦断正面図
【図５】枠体の装着部にバランスウエイトを設けた状態を示す斜視図
【符号の説明】
【００３３】
１              一番節
２，３          中間節
４              元節
５              口栓
５ｃ            装着部
８              枠体
１０            バランスウエイト
Ａ              玉の柄
Ｂ              タモ網
ｃ              第１強化繊維
ｄ              第２強化繊維
【図１】
2006288206.tif 000003
【図２】
2006288206.tif 000004
【図３】
2006288206.tif 000005
【図４】
2006288206.tif 000006
【図５】
2006288206.tif 000007